(57)【要約】  本発明の目的とするところは、複数のレイヤを３Ｄ技術で表示し、機器そのものの動きを用いて、その表示状態を制御できるモバイル機器及びそのディスプレイ方法を提供することにある。モバイル機器が開示され、本機器は、互いに異なるデプス感を保持しつつ、画面に垂直な方向に配列される複数のレイヤを３Ｄ映像で表示するディスプレイ部と、画面に垂直な方向に対するモバイル機器の動きを検知するためのセンシング部と、検知されたモバイル機器の動き方向及び距離に応じて、複数のレイヤを転換するようにディスプレイ部を制御する制御部とを含む。
2014503927.tif 000002
【特許請求の範囲】
【請求項１】
モバイル機器において、
互いに異なるデプス感を保持しつつ、画面に垂直な方向に配列される複数のレイヤを３Ｄ映像で表示するディスプレイ部と、
前記画面に垂直な方向に対する前記モバイル機器の動きを検知するためのセンシング部と、
前記検知されたモバイル機器の動き方向及び距離に応じて、前記複数のレイヤを転換するように前記ディスプレイ部を制御する制御部と
を含むモバイル機器。
【請求項２】
前記制御部は、
前記複数のレイヤのうちの１つである第１レイヤが活性化した状態で、前記モバイル機器が前記画面の前方に移動すると、前記第１レイヤを前記第１レイヤの上位レイヤに転換して活性化させ、前記モバイル機器が前記画面の後方に移動すると、前記第１レイヤを前記第１レイヤの下位レイヤに転換して活性化させるように前記ディスプレイ部を制御し、
前記第１レイヤが活性化した状態であれば、前記第１レイヤの下部に予め設定された個数の下位レイヤを非活性化状態で重複表示するように前記ディスプレイ部を制御することを特徴とする請求項１に記載のモバイル機器。
【請求項３】
前記制御部は、
前記複数のレイヤのうちの１つである第１レイヤが活性化した状態で、前記モバイル機器が前記後方に移動すると、前記第１レイヤが前記前方に突出しつつ消滅し、前記下位レイヤが前記前方に突出しつつ活性化するように前記ディスプレイ部を制御することを特徴とする請求項２に記載のモバイル機器。
【請求項４】
前記ディスプレイ部は、タッチスクリーンであり、
前記制御部は、
現在活性化したレイヤ上の少なくとも１つのコンテンツアイコンがタッチされた状態で、前記動きが検知されると、前記動き方向及び距離に応じて、前記複数のレイヤ内の別のレイヤに転換して活性化させ、前記タッチされたコンテンツアイコンがリリースされると、前記転換されたレイヤに前記タッチされたコンテンツアイコンを移動させて表示するように前記ディスプレイ部を制御することを特徴とする請求項１に記載のモバイル機器。
【請求項５】
前記制御部は、
テキストメッセージアプリケーションが実行された状態で、前記モバイル機器が前記画面に平行なＸ軸に沿って移動する動きが検知されると、検知された動きに応じてテキストメッセージの受信者情報をナビゲートし、
前記モバイル機器が前記画面に平行かつ前記Ｘ軸に垂直なＹ軸に沿って移動する動きが検知されると、検知された動きに応じてテキストメッセージの内容をスクロールし、
前記モバイル機器が前記Ｘ軸及び前記Ｙ軸が成す平面に垂直なＺ軸に沿って移動する動きが検知されると、検知された動きに応じてテキストメッセージ送受信履歴をナビゲートすることを特徴とする請求項１に記載のモバイル機器。
【請求項６】
前記ディスプレイ部は、
前記複数のレイヤのうち、現在活性化したレイヤの順位を示すインディケータを表示し、
前記インディケータは、
前記複数のレイヤの個数と同一の個数分設けられる複数のセルを含み、
前記複数のセルは、互いに異なる大きさを有しつつ、中央を基準に互いに重畳されて配列され、
前記複数のレイヤのうちの最上位レイヤが活性化されると、前記複数のセルの全てにカラーが表示され、下位レイヤに転換されるほど、最も外側のセルからカラーが除去されることを特徴とする請求項１ないし５のいずれか１項に記載のモバイル機器。
【請求項７】
前記ディスプレイ部は、
前記複数のレイヤのうち、現在活性化したレイヤの順位を示すインディケータを表示し、
前記インディケータは、
前記複数のレイヤの個数と同一の個数分設けられる複数のイメージを含み、
前記複数のイメージは、互いに異なる大きさ及びカラーを有しつつ、各イメージに対応するレイヤの順番と同一の順番で重複表示され、１つのレイヤが活性化されると、活性化されたレイヤに対応するイメージが最上位に表示されるように変更されることを特徴とする請求項１ないし５のいずれか１項に記載のモバイル機器。
【請求項８】
前記ディスプレイ部は、
前記複数のレイヤのうち、現在活性化したレイヤの順位を示すインディケータを表示し、
前記インディケータは、
前記複数のレイヤの個数と同一の個数の複数のイメージを含み、
前記複数のイメージは、画面内の一領域で各イメージに対応するレイヤの順番と同一の順番で並べられ、
前記複数のイメージのうち、現在活性化したレイヤに対応するイメージを含む少なくとも１つのイメージの表示状態は、残りのイメージと差別化できるように変更され、
前記制御部は、
前記インディケータ上で前記複数のイメージのうちの１つが選択されると、選択されたイメージに対応するレイヤに即座に転換するように前記ディスプレイ部を制御することを特徴とする請求項１ないし５のいずれか１項に記載のモバイル機器。
【請求項９】
モバイル機器のディスプレイ方法において、
互いに異なるデプス感を保持しつつ、画面に垂直な方向に配列される複数のレイヤを３Ｄ映像で表示するステップと、
前記画面に垂直な方向に対する前記モバイル機器の動きを検知するステップと、
前記検知されたモバイル機器の動き方向及び距離に応じて、前記複数のレイヤのうち少なくとも１つを転換する転換ステップと
を含むディスプレイ方法。
【請求項１０】
前記転換ステップは、
前記複数のレイヤのうちの１つである第１レイヤが活性化した状態で、前記モバイル機器が前記画面の前方に移動すると、前記第１レイヤを前記第１レイヤの上位レイヤに転換して活性化させ、前記モバイル機器が前記画面の後方に移動すると、前記第１レイヤを前記第１レイヤの下位レイヤに転換して活性化させるステップを含むことを特徴とする請求項９に記載のディスプレイ方法。
【請求項１１】
前記転換ステップは、
前記第１レイヤが活性化した状態であれば、前記第１レイヤの下部に予め設定された個数の下位レイヤを非活性化状態で重複表示し、
前記複数のレイヤのうちの１つである第１レイヤが活性化した状態で、前記モバイル機器が前記後方に移動すると、前記第１レイヤを前記前方に突出させつつ消滅させ、前記下位レイヤを前記前方に突出させつつ活性化させるステップを含むことを特徴とする請求項９に記載のディスプレイ方法。
【請求項１２】
前記転換ステップは、
現在活性化したレイヤ上の少なくとも１つのコンテンツアイコンがタッチされた状態で、前記動きが検知されると、前記動き方向及び距離に応じて、前記複数のレイヤ内の別のレイヤに転換して活性化させ、
前記タッチされたコンテンツアイコンがリリースされると、前記転換されたレイヤに前記タッチされたコンテンツアイコンを移動させて表示するステップを含むことを特徴とする請求項９に記載のディスプレイ方法。
【請求項１３】
テキストメッセージアプリケーションが実行されると、テキストメッセージ画面を表示するステップと、
前記モバイル機器が前記画面に平行なＸ軸に沿って移動する動きが検知されると、前記テキストメッセージ画面上で作成されるテキストメッセージの受信者情報を前記検知された動きに応じてナビゲートするステップと、
前記モバイル機器が前記画面に平行かつ前記Ｘ軸に垂直なＹ軸に沿って移動する動きが検知されると、検知された動きに応じて前記テキストメッセージ画面上で作成される前記テキストメッセージの内容をスクロールするステップと、
前記モバイル機器が前記Ｘ軸及び前記Ｙ軸が成す平面に垂直なＺ軸に沿って移動する動きが検知されると、検知された動きに応じてテキストメッセージ送受信履歴をナビゲートするステップと
を更に含むことを特徴とする請求項９に記載のディスプレイ方法。
【請求項１４】
前記複数のレイヤのうち、現在活性化したレイヤの順位を示すインディケータを表示するステップを更に含むことを特徴とする請求項９ないし１３のいずれか１項に記載のディスプレイ方法。
【請求項１５】
前記インディケータは、
前記複数のレイヤの個数と同一の個数分設けられる複数のセルを含み、
前記複数のセルは、互いに異なる大きさを有しつつ、中央を基準に互いに重畳されて配列され、
前記複数のレイヤのうちの最上位レイヤが活性化されると、前記複数のセルの全てにカラーが表示され、下位レイヤに転換されるほど、最も外側のセルからカラーが除去されるステップを更に含むことを特徴とする請求項１４に記載のディスプレイ方法。
【発明の詳細な説明】
【技術分野】
【０００１】
本発明は、複数のレイヤを含む３Ｄ映像をディスプレイするモバイル機器及びそのディスプレイ方法に関し、より詳細には、機器の動きを用いてレイヤを転換することができるモバイル機器及びそのディスプレイ方法に関する。
【背景技術】
【０００２】
電子技術の発達により、多様なモバイル機器が開発され、普及している。特に、最近は既存の携帯電話で提供していたサービスの水準を越えて、多様なアプリケーションサービスを提供するスマートフォンが多大な人気を博しており、急ピッチで普及している。
このように、モバイル機器の機能が次第に多様化するにつれ、モバイル機器で提供するコンテンツの量及び種類も多様になりつつある。しかしながら、モバイル機器は携帯しやすいように小型で設計されるのが一般的である。
したがって、小さいディスプレイサイズのモバイル機器上で多様かつ多くのコンテンツを簡易にナビゲートできるようにする技術に対する工夫が必要になってきた。
【発明の概要】
【発明が解決しようとする課題】
【０００３】
本発明は、上記問題に鑑みてなされたものであり、本発明の目的とするところは、複数のレイヤを３Ｄ技術で表示し、機器そのものの動きを用いて、その表示状態を制御できるモバイル機器及びそのディスプレイ方法を提供することにある。
【課題を解決するための手段】
【０００４】
上記のような目的を達成するための本発明の一実施形態に係るモバイル機器は、互いに異なるデプス感を保持しつつ、画面に垂直な方向に配列される複数のレイヤを３Ｄ映像で表示するディスプレイ部と、前記画面に垂直な方向に対する前記モバイル機器の動きを検知するためのセンシング部と、前記モバイル機器の前記検知されたモバイル機器の動き方向及び距離に応じて、前記複数のレイヤを転換するように前記ディスプレイ部を制御する制御部とを含む。
【０００５】
ここで、前記制御部は、前記複数のレイヤのうちの１つである第１レイヤが活性化した状態で、前記モバイル機器が前記画面の前方に移動すると、前記第１レイヤの上位レイヤに転換して活性化させ、前記モバイル機器が前記画面の後方に移動すると、前記第１レイヤの下位レイヤに転換して活性化させるように前記ディスプレイ部を制御してよい。
前記制御部は、前記第１レイヤが活性化した状態であれば、前記第１レイヤの下部に予め設定された個数の下位レイヤを非活性化状態で重複表示するように前記ディスプレイ部を制御してよい。
前記制御部は、前記第１レイヤが活性化した状態で、前記モバイル機器が後方に移動すると、前記第１レイヤが前記前方に突出しつつ消滅し、前記下位レイヤが前記前方に突出しつつ活性化するように前記ディスプレイ部を制御してよい。
【０００６】
ここで、前記ディスプレイ部は、タッチスクリーンを含み、前記制御部は、現在活性化したレイヤ上の少なくとも１つのコンテンツアイコンがタッチされた状態で、前記動きが検知されると、前記動き方向及び距離に応じて、前記複数のレイヤ内の別のレイヤに転換して活性化させ、前記タッチされたコンテンツアイコンがリリースされると、前記転換されたレイヤに前記タッチされたコンテンツアイコンを移動させて表示するように前記ディスプレイ部を制御してよい。
【０００７】
そして、前記制御部は、テキストメッセージアプリケーションが実行された状態で、前記モバイル機器が前記画面に平行なＸ軸に沿って移動する動きが検知されると、検知された動きに応じてテキストメッセージの受信者情報をナビゲートし、前記モバイル機器が前記画面に平行かつ前記Ｘ軸に垂直なＹ軸に沿って移動する動きが検知されると、検知された動きに応じてテキストメッセージの内容をスクロールし、前記モバイル機器が前記Ｘ軸及び前記Ｙ軸が成す平面に垂直なＺ軸に沿って移動する動きが検知されると、検知された動きに応じてテキストメッセージ送受信履歴をナビゲートしてよい。
また、前記ディスプレイ部は、前記複数のレイヤのうち、現在活性化したレイヤの順位を示すインディケータを表示してよい。
【０００８】
また、本発明の一実施形態に係るモバイル機器のディスプレイ方法は、互いに異なるデプス感を保持しつつ、画面に垂直な方向に配列される複数のレイヤを３Ｄ映像で表示するステップと、前記画面に垂直な方向への前記モバイル機器の動きを検知するステップと、前記検知されたモバイル機器の動き方向及び距離に応じて、前記複数のレイヤのうち少なくとも１つを転換する転換ステップとを含む。
【０００９】
ここで、前記転換ステップは、前記複数のレイヤのうちの１つである第１レイヤが活性化した状態で、前記モバイル機器が前記画面の前方に移動すると、前記第１レイヤを前記第１レイヤの上位レイヤに転換して活性化させ、前記モバイル機器が前記画面の後方に移動すると、前記第１レイヤを前記第１レイヤの下位レイヤに転換して活性化させてよい。
ここで、前記転換ステップは、前記第１レイヤが活性化した状態であれば、前記第１レイヤの下部に予め設定された個数の下位レイヤを非活性化状態で重複表示してよい。
そして、前記転換ステップは、前記複数のレイヤのうちの１つである第１レイヤが活性化した状態で、前記モバイル機器が前記後方に移動すると、前記第１レイヤを前記前方に突出させつつ消滅させ、前記下位レイヤを前記前方に突出させつつ活性化させてよい。
【００１０】
なお、前記転換ステップは、現在活性化したレイヤ上の少なくとも１つのアイコンがタッチされた状態で、前記動きが検知されると、前記検知された動き方向及び距離に応じて、前記複数のレイヤ内の別のレイヤに転換して活性化させ、前記タッチされたコンテンツアイコンがリリースされると、前記転換されたレイヤに前記タッチされたコンテンツアイコンを移動させて表示してよい。
【００１１】
そして、本方法は、テキストメッセージアプリケーションが実行されると、テキストメッセージ画面を表示するステップと、前記モバイル機器が前記画面に平行なＸ軸に沿って移動する動きが検知されると、前記テキストメッセージ画面上で作成されるテキストメッセージの受信者情報を前記検知された動きに応じてナビゲートするステップと、前記モバイル機器が前記画面に平行かつ前記Ｘ軸に垂直なＹ軸に沿って移動する動きが検知されると、検知された動きに応じて前記テキストメッセージ画面上で作成される前記テキストメッセージの内容をスクロールするステップと、前記モバイル機器が前記Ｘ軸及び前記Ｙ軸が成す平面に垂直なＺ軸に沿って移動する動きが検知されると、検知された動きに応じてテキストメッセージ送受信履歴をナビゲートするステップとを更に含んでよい。
【００１２】
また、本方法は、前記複数のレイヤのうち、現在活性化したレイヤの順位を示すインディケータを表示するステップを更に含んでよい。
ここで、本ディスプレイ方法は、前記インディケータ上で前記複数のイメージのうちの１つが選択されると、前記選択されたイメージに対応するレイヤに即座に転換するステップを更に含んでよい。
【発明の効果】
【００１３】
以上説明したように、本発明によれば、ユーザはモバイル機器を多様な方向及び角度で動かしつつ、自分所望のコンテンツや機能を簡易に探索することができるようになる。
【図面の簡単な説明】
【００１４】
【図１】本発明の一実施形態に係るモバイル機器の構成を示すブロック図である。
【図２】本発明の一実施形態に係るモバイル機器における表示状態を示す図である。
【図３】複数のレイヤ間の転換過程を説明するための図である。
【図４】レイヤの転換及びそれによるインディケータ表示方法の多様な例を説明するための図である。
【図５】レイヤの転換及びそれによるインディケータ表示方法の多様な例を説明するための図である。
【図６】レイヤの転換及びそれによるインディケータ表示方法の多様な例を説明するための図である。
【図７】コンテンツの位置を移動させる方法の一例を説明するための図である。
【図８】本発明の一実施形態に係るモバイル機器におけるテキストメッセージサービス利用方法の一例を説明するための図である。
【図９】本発明の多様な実施形態に係るモバイル機器のディスプレイ方法を説明するためのフローチャートである。
【図１０】パニング動作の例を説明するための図である。
【図１１】パニング動作の例を説明するための図である。
【発明を実施するための形態】
【００１５】
以下では、添付の図面を参照しながら、本発明の好適な実施形態について詳細に説明する。なお、本明細書及び図面において、実質的に同一の機能構成を有する構成要素については、同一の符号を付することにより重複説明を省略する。
図１は、本発明の一実施形態に係るモバイル機器の構成を示すブロック図である。図１によると、モバイル機器１００は、センシング部１１０と、制御部１２０と、ディスプレイ部１３０とを含む。本モバイル機器１００は、携帯電話、ＰＤＡ、ゲーム機、ノートパソコン、電子書籍、ＭＰ３プレーヤ等のような多様な携帯型ディスプレイ装置で実現されてよい。
【００１６】
センシング部１１０は、モバイル機器１００そのものの動きを検知し、地磁気センサ、加速度センサ、ジャイロセンサ、モーション検知センサ等のような多様なセンサで実現されてよい。それにより、モバイル機器１００の回転の有無、モバイル機器１００の勾配の程度や、モバイル機器１００の前端部が向く方位の変化、ピッチ角、ヨー角（ｙａｗ  ａｎｇｌｅ）、ロール角等の変化等のように、モバイル機器１００の動きによって変化される多様なパラメータを測定し、制御部１２０に通知することができる。具体的には、センシング部１１０は、モバイル機器１００がディスプレイ部１３０の画面から突出する方向、または画面方向にくぼむ方向等のように画面に垂直な方向に移動する動きを検知することができる。また、画面に垂直な方向への移動を検知するために、センシング部１１０は外部環境を撮像する撮像素子で実現されてよい。
撮像素子で実現された場合、センシング部１１０はモバイル機器１００の画面を眺めるユーザの顔を撮影し、その撮影結果を制御部１２０に伝送することができる。
【００１７】
制御部１２０は、認識される顔の大きさが以前の撮影フレームの顔の大きさより大きくなった場合、画面から突出している方向に移動した場合と判断し、顔の大きさが小さくなった場合、画面にくぼむ方向に移動した場合と判断することができる。あるいは、このような判断は、センシング部１１において自ら行うこともできる。すなわち、センシング部１１０は、撮影結果を比較し、画面から突出している方向に移動したと判断したり、画面の奥にくぼむ方向に移動したと判断したりすると、その判断結果に対応する制御信号を制御部１２０に出力することができる。
【００１８】
ディスプレイ部１３０は、表示を行う。具体的には、互いに異なるデプス感を保持しつつ画面に垂直な方向に配列される複数のレイヤを３Ｄ映像で表示する。デプス感とは、画面を基準に画面から突出して見える程度、または画面の奥側にくぼんで見える程度を意味する。すなわち、３Ｄ表示方式によると、左側映像及び右側映像間のディスパリティ（ｄｉｓｐａｒｉｔｙ）によってユーザは立体感を感じることができる。デプス感とは、このような立体感を意味してよい。なお、レイヤとは、少なくとも１つ以上のコンテンツが同一のデプス感で表示されるレイヤを意味する。
【００１９】
３Ｄ表示を行うために、ディスプレイ部１３０は各レイヤのイメージを３Ｄデータに変換する変換部（図示せず）を含む。３Ｄ表示方式は、メガネの要否に応じて、メガネ式または非メガネ式に区分できる。すなわち、ユーザが３Ｄ視聴のための専用のメガネを着用するメガネ式３Ｄ方式である場合、変換部は選択された客体のイメージを左眼映像及び右眼映像でそれぞれ生成する。左眼映像及び右眼映像とは、同一の被写体を互いに異なる視覚から眺めた映像を意味する。左眼映像及び右眼映像で互いに対応するブロック間の距離が立体感、すなわち、上述のデプス感であってよい。ディスプレイ部１３０は、生成された左眼映像及び右眼映像を予め設定された回数で交互に出力する。制御部１２０は、別途に設けられた同期信号伝送ユニット（図示せず）を用いて、左眼映像及び右眼映像の交互での出力タイミングに合った同期信号を３Ｄメガネ装置に伝送する。それにより、３Ｄメガネで左側グラス及び右側グラスをその同期信号に合わせて交互にターンオンさせ、３Ｄ視聴を可能とする。
【００２０】
一方、専用のメガネを必要としない非メガネ式３Ｄ方式である場合、変換部は選択された客体イメージを多時点映像に変換する。具体的には、変換部は、映像信号を基準に焦点距離、被写体のデプス等を用いて、時点変化時に被写体との距離変化程度、方向転換程度等を推定する。変換部は、推定結果に応じて、基準映像の各ピクセルの位置を移動させて新たな映像を生成する。生成された映像は、基準映像からは所定角度分だけ離隔している状態で、被写体を眺めた映像であってよい。変換部は、このような方式で複数の多時点映像を生成することができる。
【００２１】
ディスプレイ部１３０は、多時点映像を空間的に区分して出力し、メガネをかけなくても被写体との距離感を感じ、３Ｄ映像として認識するようにすることができる。例えば、合計で９つの多時点映像が生成されたとすると、各多時点映像を画面の一側から順次に出力し、最後の９番目の映像出力が終わる部分では、再び１番目の映像から出力し、画面前方に向かって多様な角度で出力する。それにより、ユーザは、メガネがなくても立体感を感じることができるようになる。なお、多時点映像の個数は、必ずしも９つに限定されるものではなく、その個数に応じて表示方向の数も変わってよい。また、多時点映像出力のために、ディスプレイ部１３０は、パララックスバリア（Ｐａｒａｌｌａｘ  Ｂａｒｒｉｅｒ）技術またはレンチキュラー（Ｌｅｎｔｉｃｕｌａｒ）技術によるディスプレイパネルを含んでよい。
なお、上述の実施形態では、変換部がディスプレイ部１３０の内部に含まれるものとして説明したが、必ずしもこのように実現されるべきものではなく、ディスプレイ部１３０の外部に別途の構成要素として含まれてよい。
【００２２】
図２は、複数のレイヤを表示するモバイル機器の画面の一例を示す図である。図２に示すように、モバイル機器１００では互いに異なるデプス感を保持する複数のレイヤ１０−１，１０−２，１０−３を順次に表示する。
各レイヤ１０−１，１０−２，１０−３には、少なくとも１つのコンテンツが表示されてよい。ここで、コンテンツとは、アイコンや、ＵＩウィンドウ、ウィジェットウィンドウ、文書作成ウィンドウ等のように多様な客体を意味する。
【００２３】
各レイヤ１０−１，１０−２，１０−３は、そのデプス感に応じて上位レイヤ１０−１、基準レイヤ１０−２、下位レイヤ１０−３と称されてよい。基準レイヤ１０−２とは、モバイル機器１００において現在活性化状態にあるレイヤを意味する。通常、モバイル機器１００の画面と同一のデプス感を保持しつつ、その画面上に表示されるレイヤを意味してよい。一方、上位レイヤ１０−１は、その基準レイヤ１０−２から垂直の方向に突出して表示されるレイヤを意味し、下位レイヤ１０−３は、基準レイヤ１０−２から垂直の方向にくぼんで表示されるレイヤを意味する。
ユーザは、モバイル機器１００を画面に垂直な第１方向または第２方向に移動させ、レイヤを転換させることができる。ここで、第１方向と第２方向とは互いに反対の方向であってよい。
【００２４】
具体的には、図２に示すように、画面から突出する方向であるＺ＋方向にモバイル機器１００を動かすと、上位レイヤ１０−１に転換される。一方、Ｚ−方向にモバイル機器１００を動かすと、下位レイヤ１０−３に転換される。レイヤ転換が行われると、転換されたレイヤが活性化する。よって、活性化したレイヤ上でコンテンツ選択や、メニュー実行等のような各種作業が行われてよい。
なお、レイヤの転換過程においては、空間アフォーダンス（ｓｐａｃｅ  ａｆｆｏｒｄａｎｃｅ）が与えられてよい。すなわち、基準レイヤ１０−２が下位レイヤ１０−３に転換される場合には、基準レイヤ１０−２がＺ＋方向に盛り上がり徐々に消えるように表示されてよい。一方、上位レイヤ１０−１に転換される場合には、基準レイヤ１０−２がＺ−方向に消えつつ不明瞭に見えるように表示されてよい。
動きの速度または動きの距離が大きい場合、一度に複数個のレイヤが同時に転換されてよい。すなわち、下位レイヤ１０−３が活性化した状態で、Ｚ＋方向に通常の場合より更に速く、または、更に多く移動させるようになると、即座に上位レイヤ１０−１が活性化してよい。このように、転換の速度や転換の単位は動きの距離、方向、速度等のような動き特性に応じて異なってよい。
【００２５】
図３は、多様なレイヤの形態を示す図である。図３によると、複数個のレイヤ１０−１，１０−２，１０−３は、画面から垂直の方向に順次に配置されていることが分かる。なお、各レイヤ１０−１，１０−２，１０−３上には、各コンテンツ１１−１，１１−２，１１−３が配列される。それにより、Ｚ＋方向への移動や、Ｚ−方向への移動により、レイヤ１０−１，１０−２，１０−３間の転換が行われるようになる。
なお、図２及び図３では、３つのレイヤのみを示しているが、それは立体感を保持しつつ一度に現れるレイヤに該当する。すなわち、全レイヤのうち、設定された個数のレイヤのみが一度に現れ、残りのレイヤは表示されなくてよい。
【００２６】
すなわち、複数のレイヤのうちの１つである第１レイヤが活性化した状態であると、制御部１２０は第１レイヤの下部に予め設定された個数の少なくとも１つの下位レイヤを非活性化状態で重複表示するようにディスプレイ部１３０を制御することができる。このような状態で、制御部１２０は、モバイル機器１００が第２方向、すなわち、Ｚ−方向に移動すると、第１レイヤを第１方向、すなわち、Ｚ＋方向に突出させつつ消滅させ、第１レイヤの下部にあった第２レイヤをＺ＋方向に突出させつつ活性化させるようにディスプレイ部１３０を制御することができる。そして、それまで表示されていなかった新たな第３レイヤを第２レイヤ下部に非活性化状態で重複表示するようにディスプレイ部１３０を制御する。一方、第１レイヤが活性化している状態でＺ＋方向に移動させると、第１レイヤの上位レイヤが活性化し、第１レイヤはＺ−方向に消えるようになり、第２レイヤは消滅しきるようになる。
このように、２ないし４個程度のレイヤが常に同時に重複表示されるように保持することができる。もし、最下位レイヤが表示されている場合には、その下部にはそれ以上のレイヤが存在しないため、重複表示は省略することができる。
【００２７】
なお、説明の便宜上、図２及び図３においては、Ｚ＋、Ｚ−方向と称しているが、動きそのものが最後まで画面に垂直になる必要はない。すなわち、ユーザが腕を曲げて曲線を描きつつ、画面方向にモバイル機器を持ち上げる場合や、逆に、腕を伸ばしつつ、モバイル機器を下げる場合にも、その動きに応じてレイヤ転換を行うことができることはいうまでもない。それは、以下に説明される全ての実施形態でも同様に適用されてよい。
【００２８】
また、ユーザは、現在活性化したレイヤが全レイヤの中で、何番目のレイヤかを容易に確認したいという場合がある。そのために、各レイヤにはインディケータを表示することができる。インディケータとは、複数のレイヤのうち、現在活性化したレイヤの順位を示すためのアイコン、イメージ、数字または文字等を意味する。
図４は、インディケータを表示しつつ複数のレイヤを転換する方法を説明するための図である。図４によると、モバイル機器１００の画面上には複数のレイヤ１０−１，１０−２，１０−３が順次に配列されて３Ｄで表示される。
なお、画面上には、複数のレイヤのうち、現在活性化したレイヤの順位を確認できるようにするインディケータ１３が同時に表示されてよい。
【００２９】
インディケータ１３は、多様な実施形態に応じて多様な形態で表示されてよい。
図４においては、複数のレイヤ１０−１，１０−２，１０−３が順次に表示され、インディケータ１３は全レイヤの個数と同一の個数分設けられた複数のセルを含む形態で表示されることが分かる。図４では、合計３つのレイヤが表示され、それによってセルの数も３つ（すなわち、１３−１，１３−２，１３−３）であることが分かる。
ここで、複数のセル（１３−１，１３−２，１３−３）は、互いに異なる大きさを保持して中央を基準に互いに重畳して配列される。
【００３０】
図４の（ａ）のように、全レイヤの中で、最上位レイヤが活性化すると、複数のセル（１３−１，１３−２，１３−３）の全てにカラーが表示される。ここで、カラーは、セルごとに異なってよく、同一であってよい。カラーが同一の場合には、セルごとに濃度が異なるように設定されてよい。
インディケータ１３は、下位レイヤに転換されるほど、最外郭のセルからカラーが除去される。すなわち、図４の（ａ）のように、最上位レイヤ１０−１が表示された状態で、モバイル機器がＺ−方向に移動するようになると、図４の（ｂ）のように、２番目のレイヤ１０−２に転換し、インディケータ１３の中で最外郭のセル１３−１からカラーが除去される。このような状態で、再びＺ−方向に移動するようになると、図４（ｃ）のように、３番目のレイヤ１０−３に転換され、インディケータ１３では再び最外郭のセル１３−２のカラーが除去される。それにより、インディケータ１３は、１番目のセル１３−３にのみカラーが表示された状態になる。一方、下位レイヤに転換した後、再び上位レイヤ方向に転換するようになると、再び外郭方向に転換される個数のセル分だけカラー表示が追加される。すなわち、図４の（ｃ）状態で、Ｚ＋方向に移動するようになると、図４（ｂ）に示すように、インディケータ１３の２番目のセル１３−２まで再びカラーが表示される。
【００３１】
図５は、インディケータの別の例を示す図である。
図５によると、インディケータは、複数のレイヤの個数と同一の個数分設けられる複数のイメージを含む。ここで、複数のイメージは互いに異なる大きさ及びカラーを保持しつつ、各イメージに対応するレイヤの順番と同一の順番で重複表示されてよい。それにより、１つのレイヤが活性化すると、活性化しているレイヤに対応するイメージが最上位に表示されるように変更されてよい。
すなわち、図５の（ａ）のように、最上位レイヤ１０−１が表示された状態であれば、全イメージ１３−１，１３−２，１３−３が全て表示される。このような状態で、モバイル機器１００が、Ｚ−方向に移動され、２番目のレイヤ１０−２が表示されると、最上位イメージ１３−３は消え、２番目のレイヤ１０−２に対応する２番目のイメージ１３−２から最後のイメージ１３−１までのみ表示される。モバイル機器１００が、Ｚ−方向に移動されると、図５の（ｃ）のように、インディケータ１３では３番目のイメージ１３−１のみ表示される。
【００３２】
図６は、インディケータの更に別の例を示す図である。
図６によると、インディケータ１３は、複数のレイヤの個数と同一の個数の複数のイメージ１３−１〜１３−ｎを含む。ここで、複数のイメージは、画面内の一領域で各イメージに対応するレイヤの順番と同一の順番で並べられる。具体的には、図６のように画面の下段に一列に並べられる。
【００３３】
このような場合、複数のイメージのうち、現在活性化したレイヤに対応するイメージを含む少なくとも１つのイメージの表示状態は、残りのイメージと差別化できるように表示されてよい。すなわち、図６においては、合計ｎ個のレイヤのうち、３番目のレイヤ１０−３が活性化した状態であれば、インディケータ１３の各イメージのうち、３番目のイメージ１３−３から４番目のイメージ１３−４までは四角形で表示され、残りのイメージ１３−１，１３−２，１３−５，…，１３−ｎは、円形で表示されてよい。ここで、四角形で表示されるイメージの個数は、現在の画面上に３Ｄで表示されるレイヤの個数と同一であってよい。すなわち、図６においては、２つのレイヤが３Ｄ方式で重畳表示された状態であるため、２つのイメージ１３−３，１３−４のみが四角形で表示されているが、３つのレイヤが重畳表示される状態であれば、３つのイメージ１３−３，１３−４，１３−５が四角形で表示されてよい。
【００３４】
なお、３、４、５番目のイメージ１３−３，１３−４，１３−５の中でも、活性化したレイヤ１０−３に対応する３番目のイメージ１３−３に対しては、カラーを異なるように表示したり、点滅させたりする等の方式で識別力を更に与えてよい。
一方、図６の（ａ）のように、３番目のレイヤ１０−３が活性化した状態で、モバイル機器１００が、Ｚ＋方向に移動するようになると、図６の（ｂ）のように、２番目のレイヤ１０−２が活性化しつつ、インディケータ１３の中で、２番目のイメージ１３−２も四角形に変更される。この場合、それまで四角形で表示されていた４番目のイメージ１３−４は円形に変更される。このように、レイヤの転換状態及び現在レイヤの順位をインディケータ１３を介して容易に通知することができるようになる。
【００３５】
制御部１２０は、インディケータ１３上の複数のイメージのいずれか１つが選択されると、選択されたイメージに対応するレイヤに即座に変換するようにディスプレイ部１３０を制御することもできる。すなわち、図６の（ｂ）のような状態で、インディケータ１３内で６番目のイメージ１３−６がタッチされると、そのイメージに対応するレイヤを即座に活性化させ、その下位レイヤを非活性化状態で下部に重畳表示することができる。
ユーザはモバイル機器の移動とともに画面タッチを行い、コンテンツの位置を移動させる操作も容易に行うことができる。このように、タッチが要求される状況のために、ディスプレイ部１３０はタッチスクリーンを含んでよい。
【００３６】
図７は、コンテンツ位置移動方式の一例を説明するための図である。
図７によると、２つのレイヤ１０−１，１０−２が重畳表示された状態で、ユーザは活性化した１番目のレイヤ１０−１上のコンテンツのうちの１つであるｉｃｏｎ６をタッチし、Ｚ−方向にモバイル機器１００を移動させることができる。この場合、タッチされたｉｃｏｎ６のデプス感はそのまま保持しつつ、２番目のレイヤ１０−２のデプス感が増大されて活性化する。すなわち、ｉｃｏｎ６は、２番目のレイヤ１０−２上で他のアイコン（ｉｃｏｎ１０〜ｉｃｏｎ１８）とともに表示されるようになる。このような状態で、モバイル機器１００が、再びＺ−方向に動くと、３番目のレイヤ１０−３に転換され、ｉｃｏｎ６は３番目のレイヤ１０−３上で他のアイコンとともに表示される。このような状態で、ユーザがｉｃｏｎ６をタッチした指先を離してリリースさせると、制御部１２０はｉｃｏｎ６を３番目のレイヤ１０−３上に表示されるように、ディスプレイ部１３０を制御する。
【００３７】
このように、ユーザはタッチ及び機器移動を同時に用いて簡易にコンテンツのような客体の位置を変更することができるようになる。
なお、上述のモバイル機器の動きに応じた制御動作は、多様な機能に活用されてよい。一例として、テキストメッセージ送受信作業である。ワード作業等の場合にも、多様なレイヤ上においてこのような作業を行うことができ、動きを用いて作業実行状態を変更することができる。
【００３８】
図８は、本発明の一実施形態に係るモバイル機器におけるテキストメッセージ伝送方式を説明するための図である。
テキストメッセージアプリケーションが実行されると、画面上には多様なテキストウィンドウが表示されてよい。ここで、各テキストウィンドウのデプス感は、異なるように決定されてよい。すなわち、上述のレイヤのように、各テキストウィンドウも複数個のレイヤに区分され、３Ｄ方式で重複表示されてよい。
ユーザは、モバイル機器１００を画面に平行なＸ軸方向（すなわち、左方または右方）に移動させたり、画面に平行かつＸ軸に垂直なＹ軸方向（すなわち、上方または下方）に移動させたり、Ｘ軸及びＹ軸が成す平面に垂直なＺ軸方向（すなわち、前方または後方）に沿って移動させつつ、テキストサービスを利用することができる。ここで、各方向の動きに応じた動作は、実施形態に応じて異なるように決定されてよい。
【００３９】
一例として、Ｚ軸方向に沿って移動する動きが検知されると、制御部１２０は、検知された動きに応じてテキストメッセージの受信者情報をナビゲートすることができるように、ディスプレイ部１３０を制御し、受信者情報を変更して表示する。一方、Ｙ軸方向に沿って移動する動きが検知されると、検知された動きに応じてテキストメッセージの内容をスクロールさせることができる。また、Ｚ軸に沿って移動する動きが検知されると、検知された動きに応じてテキストメッセージ送受信履歴をナビゲートすることができるように、重複表示されたテキストウィンドウの活性化状態を転換させることができる。
【００４０】
具体的には、図８によると、“ｆｒｉｅｎｄ  Ａ”に関連したテキストウィンドウが表示された状態で、Ｚ−、Ｚ＋のようにＺ軸方向に移動するようになると、テキストウィンドウが変更される。それにより、同一のテキスト送受信者、すなわち、ｆｒｉｅｎｄ  Ａとの間でやり取りしたテキストメッセージの送受信履歴を確認することができる。あるいは、複数のテキストウィンドウを用いて複数個のテキストメッセージを一度に作成し、１つまたは複数のテキスト受信者を決定して一度にまたは別々に伝送することができる。
【００４１】
図８の（ａ）によると、１番目のテキストウィンドウ１５−１が表示された状態で、モバイル機器１００が、Ｚ−方向に移動すると、図８の（ｂ）のように、２番目のテキストウィンドウ１５−２が表示される。
このような状態で、Ｙ＋方向にモバイル機器１００が移動すると、現在表示されているテキストウィンドウ１５−２上における内容がスクロールされる。それにより、図８の（ｃ）のように、２番目のテキストウィンドウ１５−３の下部内容が表示される。このような状態で、Ｘ−方向にモバイル機器１００が移動すると、テキスト受信者である“ｆｒｉｅｎｄ  Ａ”から“ｆｒｉｅｎｄ  Ｂ”に変更され、テキストウィンドウも“ｆｒｉｅｎｄ  Ｂ”に対して送受信されたテキストウィンドウ１６−１，１６−２に変更される。
【００４２】
図８は、テキストメッセージ確認過程における例について説明しているが、テキストメッセージ作成過程でも同様に適用されてよい。すなわち、Ｚ＋、Ｚ−方向への動きは、作成中のテキストウィンドウを変更するようにし、Ｘ＋、Ｘ−方向への動きは、テキスト受信者変更、Ｙ＋、Ｙ−方向への動きは、テキストメッセージ内容スクロール等の作業とマッチングされてよい。
なお、上述のように、モバイル機器の動き方向とその実行機能は、必ずしも図８のように限定されるものではなく、実施形態によって多様に変形されてよい。
【００４３】
図９は、本発明の多様な実施形態に係るモバイル機器のディスプレイ方法を説明するためのフローチャートである。
図９によると、複数のレイヤが３Ｄ映像で表示されている状態で（Ｓ９１０）、動きが検知されると（Ｓ９２０）、その動きが画面を基準に垂直の方向への動きかを判断する（Ｓ９３０）。判断結果、垂直の動きである場合、動き方向及び距離に応じて複数のレイヤの活性化状態を転換する（Ｓ９４０）。
その転換方式については、上述の複数の実施形態で説明したため、繰り返し説明は省略する。
各レイヤの活性化状態を転換する場合、その転換状態を報知できるインディケータも同時に表示することができる。インディケータの表示形態及び変更方式については、上述の図４ないし図６を参照に説明しているため、具体的な説明は省略する。
【００４４】
動き判断結果、画面に垂直な動きではない場合、その動きに対応する動作を行う（Ｓ９５０）。この場合、動きに対応する動作がなければ、特に動作を行わなくてよい。一方、上述のテキストメッセージ方法のように、Ｘ軸方向、Ｙ軸方向への動きに対応する動作が設定されている場合、その動きに対応する動作を行ってよい。
なお、活性化したレイヤ上で少なくとも１つのコンテンツが選択された状態で、モバイル機器が移動するようになると、その移動に応じて画面またはレイヤが転換されるとしても、選択されたコンテンツのデプス感または位置はそのまま保持することができる。その後、移動が止まり新たな画面または新たなレイヤが活性化した状態で、コンテンツ選択がリリースされると、活性化した新たな画面または新たなレイヤ上に当該コンテンツの位置が移動されて表示されてよい。このような動作も、本ディスプレイ方法のステップに含まれてよい。
一方、上述のように、レイヤ間の転換は、モバイル機器の動きに応じて行われるようになる。しかし、必ずしもそれに限定されるものではなく、画面上におけるパニング（ｐａｎｎｉｎｇ）動作によってもレイヤ転換が行われてよい。
【００４５】
図１０及び図１１は、パニング動作の多様な例を説明するための図である。
図１０によると、複数のレイヤのうちの１つのレイヤ１０が活性化した状態で、画面中央付近をタッチした後、矢印のように周縁方向にタッチ地点を移動させるパニング動作が行われると、それによってレイヤを上位または下位レイヤに転換する。
逆に、図１１に示すように、画面周辺付近をタッチした後、矢印のように中央方向にタッチ地点を移動させるパニング動作が行われると、図１０とは反対方向にレイヤを転換する。すなわち、図１０のパニング動作がＺ＋移動のように上位レイヤに転換させる動作である場合、図１１のパニング動作はＺ−移動のように下位レイヤに転換させる動作であってよい。
【００４６】
図１０及び図１１のパニング動作は、上述の本発明の複数の実施形態と組み合わせて、モバイル機器の移動と同様に複数のレイヤを転換するための方法と併せて使用されてよい。
それにより、ユーザは多様かつ簡易な方法で、複数のレイヤを転換させながら容易にコンテンツ選択及び活用をすることができるようになる。
【００４７】
また、上述の本発明の多様な実施形態に係るディスプレイ方法は、プログラムコードで実現されて多様な記録媒体に保存されてよい。具体的には、上述の電源提供方法を行なうためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
それにより、このような記録媒体が接続されたり搭載されたりする装置で詳述したディスプレイ方法が実行できるように、プログラムがインストールされてよい。
【００４８】
以上、添付の図面を参照しながら本発明の好適な実施形態について詳細に説明したが、本発明は上記の実施形態に限定されない。本発明の属する技術の分野における通常の知識を有する者であれば、特許請求の範囲に記載された技術的要旨の範疇内において、各種の変更例または修正例に想到し得ることは明らかであり、これらについても、当然に本発明の技術的範囲に属するものとみなせる。
【符号の説明】
【００４９】
１００  モバイル機器
１１０  センシング部
１２０  制御部
１３０  ディスプレイ部
【図１】
2014503927.tif 000003
【図２】
2014503927.tif 000004
【図３】
2014503927.tif 000005
【図４】
2014503927.tif 000006
【図５】
2014503927.tif 000007
【図６】
2014503927.tif 000008
【図７】
2014503927.tif 000009
【図８】
2014503927.tif 000010
【図９】
2014503927.tif 000011
【図１０】
2014503927.tif 000012
【図１１】
2014503927.tif 000013
【国際調査報告】
2014503927.tif 000014
2014503927.tif 000015